(57)【特許請求の範囲】
【請求項１】
一面側に表示画面を有する本体部と、
前記本体部の他面側に設けられた底部材と、
前記底部材にヒンジ部を介して開閉自在に設けられ、前記表示画面上に被せることが可能な蓋部材と、
前記蓋部材の開閉状態を検出するための開閉検出手段とを備えた携帯型電子機器であって、
前記開閉検出手段は、
前記本体部の他面側に操作部が露出するスイッチ部と、
前記蓋部材の開閉動作に伴って前記スイッチ部を駆動する板ばねからなる駆動部とを有しており、
前記駆動部の一端部は、
前記蓋部材に固定され、
前記駆動部の他端部は、
前記本体部の他面側と前記底部材との間に延在する自由端となっており、
前記操作部は、
前記駆動部の他端部における本体部側の平面と対向配置されており、
前記蓋部材が閉じた状態の時には、
前記駆動部が屈曲状態となり、前記駆動部の前記本体部側の平面が、前記本体部の他面側から離間することによって、前記スイッチ部が駆動されず、
前記蓋部材が開いた状態の時に、
前記駆動部が伸張状態となり、前記駆動部の前記本体部側の平面が、前記本体部の他面側に近接して前記操作部を押し込むことによって、前記スイッチ部が駆動される
ことを特徴とする携帯型電子機器。
【請求項２】
前記蓋部材には、窓部が形成されており、
前記蓋部材が閉じた状態において、
前記表示画面の一部が前記窓部を通して視認可能となっていることを特徴とする請求項１に記載の携帯型電子機器。
【発明の詳細な説明】
【技術分野】
【０００１】
本発明は、携帯型電子機器に関し、特に、開閉自在に設けられた蓋部材を備えた携帯型電子機器に関する。
【背景技術】
【０００２】
近年、スマートフォン等の携帯型電子機器では、表示画面の保護等のために、本体部に対して開閉自在に設けられた蓋部材を備えたものが普及している。そして、このような携帯型電子機器では、無駄な電力消費を抑制するために、蓋部材の開閉状態を検出するための開閉検出手段を有し、蓋部材が閉じた状態の時には表示画面への表示機能の少なくとも一部を停止できることが望ましい。
【０００３】
このような開閉検出手段を有した従来の携帯型電子機器に関する技術としては、特許文献１等が開示されている。以下、従来の携帯型電子機器について、図６を用いて説明する。図６は、従来の携帯型電子機器の構成を示す説明図であり、特許文献１に係るハンディターミナル２１０（携帯型電子機器）の構成を示している。
【０００４】
ハンディターミナル２１０は、図６に示すように、本体部２１１と、ヒンジ機構２１３を介して本体部２１１に対して開閉自在に保持された蓋部材２１２と、蓋部材２１２側に設けられたキー入力部２１６と、本体部２１１側に設けられた画面表示部２１７及びキーシート２１８と、蓋部材２１２側の所定の位置に設けられた磁石２１９と、本体部２１１側において磁石２１９と対応する位置に設けられた磁性の板金２２０及び磁気センサ２２１と、入力及び表示を制御する制御部２２２とを備えている。
【０００５】
板金２２０は、蓋部材２１２が閉じられた時に、磁石２１９に吸着して本体部２１１側の筐体２１４と蓋部材２１２側の筐体２１５とを閉じた状態に保持している。磁気センサ２２１は、板金２２０から導かれる磁力を検出している。磁気センサ２２１が検出する磁力の大きさは、蓋部材２１２の開閉状態に対応して変化する。制御部２２２は、磁気センサ２２１が検出した磁力の大きさに基づいて蓋部材２１２の開閉状態を検出し、検出結果に基づいて入力及び表示を制御している。このように、特許文献１に係るハンディターミナル２１０では、磁石２１９の磁力を利用して蓋部材２１２の開閉状態を検出している。
【先行技術文献】
【特許文献】
【０００６】
【特許文献１】特開２０１３−１８２５９１号公報
【発明の概要】
【発明が解決しようとする課題】
【０００７】
特許文献１に示すような携帯型電子機器では、磁石の磁力を利用して蓋部材の開閉状態を検出しているので、磁力が携帯型電子機器の周囲に漏れ易く、携帯型電子機器をクレジットカード等の磁気カードと一緒に保持していると、磁石の磁力が磁気カードに作用して、磁気カードの記録部に悪影響を及ぼす可能性があった。
【０００８】
本発明は、このような従来技術の実情に鑑みてなされたもので、その目的は、蓋部材の開閉状態の検出が可能であり、且つ、クレジットカード等の磁気カードへの悪影響を防止できる携帯型電子機器を提供することにある。
【課題を解決するための手段】
【０００９】
この課題を解決するために、請求項１に記載の携帯型電子機器は、一面側に表示画面を有する本体部と、前記本体部の他面側に設けられた底部材と、前記底部材にヒンジ部を介して開閉自在に設けられ、前記表示画面上に被せることが可能な蓋部材と、前記蓋部材の開閉状態を検出するための開閉検出手段とを備えた携帯型電子機器であって、前記開閉検出手段は、前記本体部の他面側に操作部が露出するスイッチ部と、前記蓋部材の開閉動作に伴って前記スイッチ部を駆動する駆動部とを有していることを特徴とする。
【００１０】
この構成の携帯型電子機器では、本体部の他面側に操作部が露出するスイッチ部と、蓋部材の開閉動作に伴ってスイッチ部を駆動する駆動部とを用いることによって、磁石の磁力を用いないで蓋部材の開閉状態を検出することができる。そして、磁石の磁力を用いないで蓋部材の開閉状態を検出することによって、携帯型電子機器の周囲に磁力が漏れ難くすることができる。その結果、蓋部材の開閉状態の検出が可能であり、且つ、クレジットカード等の磁気カードへの悪影響を防止することができるようになる。しかも、この構成の携帯型電子機器では、スイッチ部を本体部の表示画面とは異なる面に配置することができるので、スイッチ部の配置に伴って表示画面を小さくする必要が無く、表示画面を大型化し易い。
【００１１】
請求項２に記載の携帯型電子機器は、前記駆動部は、板状の弾性部材であることを特徴とする。
【００１２】
この構成の携帯型電子機器では、駆動部が板状の弾性部材なので、駆動部を薄型化し易い。そして、駆動部を薄型化することによって、携帯型電子機器も薄型化し易くなる。
【００１３】
請求項３に記載の携帯型電子機器は、前記駆動部の一端部は、前記蓋部材に固定され、前記駆動部の他端部は、前記本体部の他面側と前記底部材との間に延在する自由端となっており、前記操作部は、前記駆動部の他端部と対向配置されていることを特徴とする。
【００１４】
この構成の携帯型電子機器では、駆動部の一端部が蓋部材に固定されているので、蓋部材の開閉動作を利用して駆動部を弾性変形させることができる。また、駆動部の他端部が本体部の他面側と底部材との間に延在する自由端となっているので、蓋部材の開閉動作に伴う変形量を大きくし易い。しかも、操作部は、駆動部の他端部と対向配置されているので、駆動部の他端部から操作部に力を伝達し易い。その結果、スイッチ部をより確実に駆動することができる。
【００１５】
請求項４に記載の携帯型電子機器は、前記駆動部は、金属製の板ばねからなり、前記蓋部材が閉じた状態の時には、前記駆動部は、前記スイッチ部を駆動せず、前記蓋部材が開いた状態の時に、前記駆動部の他端部が前記操作部を押圧することによって、前記スイッチ部が駆動されることを特徴とする。
【００１６】
この構成の携帯型電子機器では、駆動部が金属製の板ばねからなるので、駆動部を長寿命化し易い。しかも、駆動部である金属製の板ばねの可撓性を利用して、蓋部材の開閉動作に合わせて駆動部を弾性変形させ、駆動部の弾性変形時の反発力によって、スイッチ部の操作部を押圧させたり、操作部への押圧を解除させたりすることができるので、駆動部の構成を簡単にすることができる。
【００１７】
請求項５に記載の携帯型電子機器は、前記蓋部材には、窓部が形成されており、前記蓋部材が閉じた状態において、前記表示画面の一部が前記窓部を通して視認可能となっていることを特徴とする。
【００１８】
この構成の携帯型電子機器では、蓋部材が閉じた状態の時には、表示画面の窓部に対応した部分のみが視認可能となる。そのため、蓋部材の開閉動作に伴って駆動部がスイッチ部を駆動し、蓋部材が閉じた状態の時には、表示画面の窓部に対応した部分以外の表示機能を停止させることによって、表示機能に関する無駄な電力消費を抑制することができる。
【発明の効果】
【００１９】
本発明によれば、蓋部材の開閉状態の検出が可能であり、且つ、クレジットカード等の磁気カードへの悪影響を防止できる携帯型電子機器を提供することができる。
【図面の簡単な説明】
【００２０】
【図１】本発明の実施形態に係る携帯型電子機器の構成を示す分解斜視図である。
【図２】本発明の実施形態に係る本体部の下面側を示す斜視図である。
【図３】本発明の実施形態に係る携帯型電子機器の開閉構造を示す説明図である。
【図４】本発明の実施形態に係る携帯型電子機器の断面構造を示す説明図である。
【図５】本発明の実施形態に係るスイッチ部の動作を示す説明図である。
【図６】従来の携帯型電子機器の構成を示す説明図である。
【発明を実施するための形態】
【００２１】
以下、本発明の実施形態について図面を参照しながら説明する。尚、各図における方向は、Ｘ１を左、Ｘ２を右、Ｙ１を前、Ｙ２を後、Ｚ１を上、Ｚ２を下とする。
【００２２】
まず、本発明の実施形態に係る携帯型電子機器の構成について、図１ないし図４を用いて説明する。図１は、本発明の実施形態に係る携帯型電子機器の構成を示す分解斜視図である。図２は、本発明の実施形態に係る本体部の下面側を示す斜視図である。図２（ａ）は、本体部１０を斜め下から見た斜視図であり、図２（ｂ）は、図２（ａ）に示す本体部１０の凹部１０ｃ付近を拡大した斜視図である。図３は、本発明の実施形態に係る携帯型電子機器の開閉構造を示す説明図である。図３（ａ）は、蓋部材４０が閉じた状態を示し、図３（ｂ）は、蓋部材４０が開いた状態を示している。図４は、本発明の実施形態に係る携帯型電子機器の断面構造を示す説明図である。図４（ａ）は、図３（ａ）のＡ１−Ａ１断面に対応した携帯型電子機器１の断面構造を模式的に示し、図４（ｂ）は、図３（ａ）のＡ１−Ａ１断面に対応したスイッチ部５１付近の断面構造を模式的に示している。
【００２３】
本発明の実施形態に係る携帯型電子機器１は、スマートフォンと呼ばれる携帯情報端末である。携帯型電子機器１は、図１ないし図３に示すように、本体部１０と、底部材２０と、ヒンジ部３０と、蓋部材４０と、開閉検出手段５０とを備えている。
【００２４】
本体部１０は、図１及び図２に示すように、略直方体の外形を有した部材であり、上面１０ａと下面１０ｂとを有している。そして、本体部１０は、携帯情報端末としての機能を実現させるための図示しない各種の電子回路を内蔵している。本体部１０の上面１０ａ側には、各種の情報を表示するための表示画面１１が配設されている。本体部１０の下面１０ｂの左端部付近には、上方に凹となる凹部１０ｃが形成されている。
【００２５】
底部材２０は、合成樹脂等でできた箱状の部材であり、図１及び図３に示すように、本体部１０の下面１０ｂ側に着脱可能に設けられている。底部材２０には、下方に凹となり、本体部１０の下面１０ｂのほぼ全体を覆う略長方形の底面２０ｂを有する凹部２０ａが形成されている。
【００２６】
蓋部材４０は、合成樹脂等でできた薄い板状の部材であり、図１及び図３に示すように、略長方形の表面４０ａと裏面４０ｂとを有している。蓋部材４０の所定の位置には、表面４０ａ側から裏面４０ｂ側に貫通する略長方形の開口部である窓部４１が形成されている。また、蓋部材４０の端部４０ｃ（図１に示す状態における蓋部材４０の右端部）には、ヒンジ部３０が形成されている。そして、蓋部材４０は、底部材２０の左端部側にヒンジ部３０を介して開閉自在に保持されている。
【００２７】
このように、蓋部材４０は、底部材２０にヒンジ部３０を介して開閉自在に設けられている。そして、蓋部材４０の開閉動作に伴って、蓋部材４０が本体部１０の左側に位置して表示画面１１全体が視認可能な状態（以下、蓋部材４０が開いた状態と略称）となったり、蓋部材４０が本体部１０の表示画面１１上に覆い被さった状態（以下、蓋部材４０が閉じた状態と略称）となったりする。
【００２８】
開閉検出手段５０は、図１に示すように、スイッチ部５１と駆動部５２とを有して構成される。スイッチ部５１は、図２ないし図４に示すように、本体部１０の下面１０ｂに形成された凹部１０ｃに収容されると共に、本体部１０の下面１０ｂ側に操作部５１ａを露出させている。操作部５１ａは上方に押圧可能となっており、操作部５１ａへの押圧操作に対応して、スイッチ部５１のオン・オフ状態が変化する。本実施形態では、操作部５１ａが上方に押圧されるとスイッチ部５１がオン状態となり、操作部５１ａに対する押圧が解除されるとスイッチ部５１がオフ状態となる。
【００２９】
駆動部５２は、図１に示すように、左右方向に延びる略長方形の板状の弾性部材であり、本実施形態では、金属製の板ばねからなる。駆動部５２の一端部５２ａは、蓋部材４０の端部４０ｃ付近に接着剤等によって固定されている。駆動部５２の他端部５２ｂは、底部材２０側に延出すると共に、本体部１０の下面１０ｂと底部材２０の底面２０ｂとの間の空間に延在する自由端となっている。また、駆動部５２は可撓性を有しており、端部が折り曲げられると元の状態（端部が伸びた状態）に戻るように反発力を発生させる。
【００３０】
開閉検出手段５０は、駆動部５２のこのような性質を利用して、蓋部材４０の開閉動作に合わせて駆動部５２を弾性変形させ、駆動部５２の弾性変形時の反発力によって、スイッチ部５１の操作部５１ａを押圧させたり、操作部５１ａへの押圧を解除させたりしている。そして、操作部５１ａへの押圧や押圧の解除に伴って、スイッチ部５１のオン・オフ状態が変化し、スイッチ部５１のオン・オフ状態の変化に基づいて蓋部材４０の開閉状態の検出が可能となる。以下、蓋部材４０の開閉動作に合わせて、駆動部５２がスイッチ部５１の操作部５１ａへの押圧や押圧の解除を行うことを、駆動部５２がスイッチ部５１を駆動すると略称する。携帯型電子機器１は、このような構成となっている。
【００３１】
次に、蓋部材４０の開閉動作とそれに伴うスイッチ部５１の動作について、図３及び図５を用いて説明する。図５は、本発明の実施形態に係るスイッチ部の動作を示す説明図である。図５（ａ）は、図３（ａ）のＡ１−Ａ１断面に対応したスイッチ部５１付近の断面構造を模式的に示す説明図であり、蓋部材４０が閉じた状態におけるスイッチ部５１の状態を示している。図５（ｂ）は、図３（ｂ）のＡ２−Ａ２断面に対応したスイッチ部５１付近の断面構造を模式的に示す説明図であり、蓋部材４０が開いた状態におけるスイッチ部５１の状態を示している、
【００３２】
まず、蓋部材４０が閉じた状態の時には、図３（ａ）に示すように、蓋部材４０は、表面４０ａが上側となり裏面４０ｂが下側となって本体部１０の表示画面１１に覆い被さる。そして、蓋部材４０が表示画面１１に覆い被さることによって、表示画面１１の窓部４１に対応する部分のみが視認可能となり、それ以外の部分は視認できない状態となる。
【００３３】
また、蓋部材４０が閉じた状態の時には、図５（ａ）に示すように、駆動部５２の一端部５２ａ側が蓋部材４０と共に右側に折れ曲がるように弾性変形し、弾性変形時の反発力によって、駆動部５２の他端部５２ｂが底部材２０の底面２０ｂと圧接した状態となる。この状態ではスイッチ部５１の操作部５１ａは押圧されず、スイッチ部５１はオフ状態となる。そして、スイッチ部５１がオフ状態の時には、本体部１０に内蔵された図示しない制御回路が、蓋部材４０が閉じた状態であると判断し、表示画面１１の窓部４１に対応した部分以外の表示機能を停止させる。
【００３４】
次に、蓋部材４０が開いた状態の時には、図３（ｂ）に示すように、蓋部材４０は、表面４０ａが下側となり裏面４０ｂが上側となって本体部１０の左側に位置する。そして、蓋部材４０が本体部１０の左側に位置することによって、表示画面１１全体が視認可能となる。
【００３５】
また、蓋部材４０が開いた状態の時には、図５（ｂ）に示すように、駆動部５２が延びた状態となり、駆動部５２の他端部５２ｂが本体部１０の下面１０ｂと圧接した状態となる。そして、駆動部５２の他端部５２ｂが本体部１０の下面１０ｂと圧接することによって、スイッチ部５１の操作部５１ａが上方に押圧され、スイッチ部５１がオン状態となる。そして、スイッチ部５１がオン状態の時には、前述した制御回路が、蓋部材４０が開いた状態であると判断し、表示画面１１全体に表示を行わせる。
【００３６】
本実施形態では、このようにして、蓋部材４０の開閉動作に伴って、駆動部５２がスイッチ部５１を駆動し、スイッチ部５１のオン・オフ状態を変化させている。そして、前述した制御回路が、スイッチ部５１のオン・オフ状態の変化に基づいて、蓋部材４０の開閉状態を検出すると共に、蓋部材４０の開閉動作に伴う表示画面１１の視認可能な領域の変化に合わせて、表示画面１１の表示領域を変化させている。
【００３７】
次に、本実施形態の効果について説明する。本実施形態の携帯型電子機器１では、本体部１０の下面１０ｂ側に操作部５１ａが露出するスイッチ部５１と、蓋部材４０の開閉動作に伴ってスイッチ部５１の操作部５１ａを駆動する駆動部５２とを用いることによって、磁石の磁力を用いないで蓋部材４０の開閉状態を検出することができる。そして、磁石の磁力を用いないで蓋部材４０の開閉状態を検出することによって、携帯型電子機器１の周囲に磁力が漏れ難くすることができる。その結果、蓋部材４０の開閉状態の検出が可能であり、且つ、クレジットカード等の磁気カードへの悪影響を防止することができるようになる。しかも、本実施形態の携帯型電子機器１では、スイッチ部５１を本体部１０の表示画面１１とは異なる面に配置することができるので、スイッチ部５１の配置に伴って表示画面１１を小さくする必要が無く、表示画面１１を大型化し易い。
【００３８】
また、本実施形態の携帯型電子機器１では、駆動部５２が板状の弾性部材（金属製の板ばね）なので、駆動部５２を薄型化し易い。そして、駆動部５２を薄型化することによって、携帯型電子機器１も薄型化し易くなる。
【００３９】
また、本実施形態の携帯型電子機器１では、駆動部５２の一端部５２ａが蓋部材４０の端部４０ｃ付近に固定されているので、蓋部材４０の開閉動作を利用して駆動部５２を弾性変形させることができる。また、駆動部５２の他端部５２ｂが本体部１０の下面１０ｂと底部材２０底面２０ｂとの間に延在する自由端となっているので、蓋部材４０の開閉動作に伴う変形量を大きくし易い。しかも、操作部５１ａは、駆動部５２の他端部５２ｂと対向配置されているので、駆動部５２の他端部５２ｂから操作部５１ａに力を伝達し易い。その結果、スイッチ部５１をより確実に駆動することができる。
【００４０】
また、本実施形態の携帯型電子機器１では、駆動部５２が金属製の板ばねからなるので、駆動部５２を長寿命化し易い。しかも、駆動部５２である金属製の板ばねの可撓性を利用して、蓋部材４０の開閉動作に合わせて駆動部５２を弾性変形させ、駆動部５２の弾性変形時の反発力によって、スイッチ部５１の操作部５１ａを押圧させたり、操作部５１ａへの押圧を解除させたりすることができるので、駆動部５２の構成を簡単にすることができる。
【００４１】
また、本実施形態の携帯型電子機器１では、蓋部材４０が閉じた状態の時には、表示画面１１の窓部４１に対応した部分のみが視認可能となる。そのため、蓋部材４０の開閉動作に伴って駆動部５２がスイッチ部５１を駆動し、蓋部材４０が閉じた状態の時には、前述した制御回路が、表示画面１１の窓部４１に対応した部分以外の表示機能を停止させることによって、表示機能に関する無駄な電力消費を抑制することができる。
【００４２】
以上、本発明の実施形態について説明してきたが、本発明は上記の実施形態に限定されず、本発明の目的の範囲を逸脱しない限りにおいて適宜変更することができる。
【００４３】
例えば、本発明の実施形態において、携帯型電子機器１は、携帯情報端末ではなく、携帯ゲーム機や電子辞書やそれ以外の電子機器であっても構わない。
【００４４】
また、本発明の実施形態において、駆動部５２は、板ばね以外の弾性部材であっても構わない。例えば、駆動部５２は、蓋部材４０の開閉動作に伴って伸縮するゴム部材であり、ゴム部材の伸縮を利用して操作部５１ａを駆動しても構わない。
【００４５】
また、本発明の実施形態において、携帯型電子機器１が対応する規格によっては、蓋部材４０は窓部４１を有していなくても構わない。そして、その場合には、蓋部材４０の開閉動作に対応して、表示機能の全てを作動させたり停止させたりしても構わない。
【００４６】
また、本発明の実施形態において、本体部１０は、蓋部材４０の開閉動作に対応して、表示機能以外の機能を表示機能と共に作動させたり停止させたりしても構わない。
【符号の説明】
【００４７】
１  携帯型電子機器
１０  本体部
１０ａ  上面
１０ｂ  下面
１０ｃ  凹部
１１  表示画面
２０  底部材
２０ａ  凹部
２０ｂ  底面
３０  ヒンジ部
４０  蓋部材
４０ａ  表面
４０ｂ  裏面
４０ｃ  端部
４１  窓部
５０  開閉検出手段
５１  スイッチ部
５１ａ  操作部
５２  駆動部
５２ａ  一端部
５２ｂ  他端部
【図１】
0006502680.tif 000002
【図２】
0006502680.tif 000003
【図３】
0006502680.tif 000004
【図４】
0006502680.tif 000005
【図５】
0006502680.tif 000006
【図６】
0006502680.tif 000007